【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
データを転送するための方法（５００）であって、
インバウンド接続を防止するファイアウォール（１０８）の背後のオンサイトシステム（１１０）と関連するオンサイトプロセッサにより、転送ディレクトリに出力ファイルを書き込むステップ（５２０）と、
前記オンサイトプロセッサにより、非同期インテリジェント転送サービスをスケジューリングするステップ（５３０）と、
前記オンサイトプロセッサにより、前記オンサイトシステム（１１０）と中央システム（１２０）との間の一方向暗号化リンクに基づいて安全な証明書を確立するステップ（５４０）と、
前記オンサイトプロセッサにより、中央システム（１２０）にメッセージを送信するステップと、
前記中央システム（１２０）と関連する中央プロセッサにより、前記オンサイトシステム（１１０）からの以前のメッセージに関連する開いているアウトバウンド一方向ポートに、前記オンサイトシステム（１１０）からの前記以前のメッセージに対する応答内でファイルダウンロード要求メッセージを送信するステップ（６１０）であって、前記ポートはアウトバウンド以外の通信を防止し応答以外のメッセージをブロックする、送信するステップ（６１０）と、
前記オンサイトプロセッサにより、非同期並行並列ファイルダウンロードのためのダウンロードコマンドメッセージを起動するステップ（６２０）と、
前記オンサイトプロセッサにより、以前に開かれた接続を使用して前記ポートにわたり前記ファイルのうちの少なくとも１つを送信するステップと、
を含む、方法（５００）。
【請求項２】
以前に開かれた接続を使用して前記ポートにわたり直列にアウトバウンドデータグラムを送信するステップと、
前記オンサイトシステム（１１０）により、インバウンドデータグラムを再構成するステップと、
を含む、、請求項１に記載の方法（５００）。
【請求項３】
前記中央システム（１２０）により、各アウトバウンドデータグラムおよび少なくとも１つの完全なファイルのチェックサムによって前記アウトバウンドデータグラムのデータトランスポート信頼度を実行することをさらに備える、請求項１に記載の方法（５００）。
【請求項４】
前記オンサイトシステム（１１０）により、各インバウントデータグラムおよび少なくとも１つの完全なファイルのチェックサムによって前記インバウンドデータグラムのデータトランスポート信頼度を実行することをさらに備える、請求項２に記載の方法（５００）。
【請求項５】
前記アウトバウンドデータグラムを送信することは、低帯域幅のサービス（２４３）を介して前記アウトバウンドデータグラムを送信することを備える、請求項１に記載の方法（５００）。
【請求項６】
オペレーショナルデータを収集することは、複数のセンサと通信する複数のオンサイトコントローラ（１１１、１１３）から前記オペレーショナルデータを収集することを備える、請求項１に記載の方法（５００）。
【請求項７】
前記ファイアウォール（１０８）は、標準的な双方向トランスポート制御プロトコル通信を防止する、請求項１に記載の方法（５００）。
【請求項８】
内挿および／または圧縮技法を使用して前記データを管理することをさらに備える、請求項１に記載の方法（５００）。
【請求項９】
前記オペレーショナルデータの品質および時間の一貫性を保証することをさらに備える、請求項１に記載の方法（５００）。
【請求項１０】
前記オペレーショナルデータのアナリティクスおよび診断を実行することをさらに備える、請求項１に記載の方法（５００）。
【請求項１１】
ファイアウォール（１０８）の背後のオンサイトシステム（１１０）を備えるデータを転送するためのシステム（１００）であって、
前記オンサイトシステム（１１０）に関連するオンサイトプロセッサが、
オペレーショナルデータを収集し、
転送ディレクトリに出力ファイルを書き込み、
非同期インテリジェント転送サービスをスケジューリングし、
前記オンサイトシステム（１１０）と中央システム（１２０）との間の一方向暗号化リンクに基づいて安全な証明書を確立し、
非同期並行並列ファイルアップロードのためのコマンドアップロードメッセージを起動し、
関連づけられたアウトバウンドデータグラムを作成し、
予め決定された特定のポートにわたり前記アウトバウンドデータグラムを送信し、
ここで、前記予め決定された特定のポートは、アウトバウンド以外の通信を防止し応答以外のメッセージをブロックする、
ように動作可能であり、
前記中央システム（１２０）に関連するオンサイトプロセッサが、
受信したアウトバウンドデータグラムに少なくとも部分的に基づいて、前記アウトバウンドデータグラムを再構成し、
開いているアウトバウンド一方向ポートに、前記オンサイトシステム（１１０）からの以前のメッセージに対する応答内でファイルダウンロード要求メッセージを送信し、
ように動作可能であり、
前記オンサイトシステム（１１０）に関連するオンサイトプロセッサがさらに、
非同期並行並列ファイルダウンロードのためのダウンロードコマンドメッセージを起動し、
追加のアウトバウンドデータグラムを作成し、
以前に開かれた接続を使用して、前記アウトバウンド一方向ポートにわたり直列に前記追加のアウトバウンドデータグラムを送信する
ように動作可能である、
システム（１００）。
【請求項１２】
前記中央システム（１２０）がさらに、
各アウトバウンドデータグラムおよび完全なファイルのチェックサムによって前記アウトバウンドデータグラムのデータトランスポート信頼度を実行する
ように動作可能である、
請求項１１に記載のシステム（１００）。
【請求項１３】
前記オンサイトシステム（１１０）がさらに、
各インバウントデータグラムおよび完全なファイルのチェックサムによって前記インバウンドデータグラムのデータトランスポート信頼度を実行する
ように動作可能である、請求項１１に記載のシステム（１００）。
【請求項１４】
前記オンサイトシステム（１１０）がさらに、
低帯域幅のサービス（２４３）を介して前記アウトバウンドデータグラムを送信する
ように動作可能である、請求項１１に記載のシステム（１００）。
【請求項１５】
前記オンサイトシステム（１１０）がさらに、
複数のセンサと通信する複数のオンサイトコントローラ（１１１、１１３）から前記オペレーショナルデータを収集する
ように動作可能である、請求項１１に記載のシステム（１００）。
【請求項１６】
前記ファイアウォール（１０８）は、標準的な双方向トランスポート制御プロトコル通信を防止するように動作可能である、請求項１１に記載のシステム（１００）。
【請求項１７】
前記オンサイトシステム（１１０）がさらに、
内挿および／または圧縮技法を使用することによって前記データを管理する
ように動作可能である、請求項１１に記載のシステム（１００）。
【請求項１８】
前記オンサイトシステム（１１０）がさらに、
前記オペレーショナルデータの品質および時間の一貫性を保証する
ように動作可能である、請求項１１に記載のシステム（１００）。
【請求項１９】
前記中央システム（１２０）が、
前記オペレーショナルデータのアナリティクスおよび診断を実行する
ように動作可能である、請求項１１に記載のシステム（１００）。